(57)【要約】【課題】瓦屋根の下地構造において、防水紙に傷を付けないことに加え、防水紙上にできた釘穴に雨水が流れ込まないようにして、瓦屋根からの雨漏りを防止できるようにした、瓦屋根の下地構造を提供する。【解決手段】瓦屋根10の下地を構成する複数の垂木15の上に複数の野地板16が全面に貼られると共に、これら野地板16の上に防水紙17が全面に貼られており、防水紙17の上に屋根10の流れ方向を向く複数の幅狭の薄板材18が、各垂木15の上に位置して、幅狭の両面接着防水テープ19を介して一定間隔で取付けられ、これら一定間隔の複数の薄板材18の上に、厚さ２５〜４０ｍｍ、幅２５〜４０ｍｍの角材から構成され、瓦21を掛ける引っ掛け桟20が釘打ちにより取付けられている。【選択図】図１
0003233209.tif 000002
【実用新案登録請求の範囲】
【請求項１】
瓦屋根の下地を構成する複数の垂木の上に複数の野地板が全面に貼られると共に、これら野地板の上に防水紙が全面に貼られており、
防水紙の上に屋根の流れ方向を向く複数の幅狭の薄板材が、各垂木の上に位置して、幅狭の両面接着防水テープを介して一定間隔で取付けられ、
これら一定間隔の複数の薄板材の上に、厚さ２５〜４０ｍｍ、幅２５〜４０ｍｍの角材から構成され、瓦を掛ける引っ掛け桟が釘打ちにより取付けられていることを特徴とする瓦屋根の下地構造。
【請求項２】
薄板材の下面に予め、略同一幅の両面接着防水テープが全面に貼り付けられていることを特徴とする請求項１記載の瓦屋根の下地構造。
【請求項３】
複数の幅狭の薄板材が、各垂木の上に位置して、幅狭の両面接着防水テープを介して防水紙の上に釘打ちにより一定間隔で取付けられていることを特徴とする、請求項１または請求項２記載の屋根の下地構造。
【請求項４】
下側の防水紙を野地板に止めるステープルの上に上側の防水紙が覆い被さった状態で貼られていることを特徴とする、請求項１ないし請求項３のいずれか一項に記載の屋根の下地構造。
【請求項５】
各垂木の上に取付けられた複数の幅狭の薄板材の中間位置であって、垂木の上から外れた位置に幅狭の薄板材が両面接着防水テープを介して防水紙の上に取付けられており、これらの薄板材の上に前記引っ掛け桟が釘打ちにより取付けられていることを特徴とする、請求項１ないし請求項４のいずれか一項に記載の屋根の下地構造。
【考案の詳細な説明】
【技術分野】
【０００１】
本考案は、屋根の下地構造、特に瓦屋根の下地構造に関するものである。
【背景技術】
【０００２】
屋根は、建物の上部を覆う構造物であり、雨、風、雪、日射などから住宅を保護する役目を持っている。我が国は、高温多湿の気候で、降水量が多いという特徴があり、住宅の屋根は一般にまたは伝統的に瓦屋根が多い。瓦は、耐水性、不燃性、耐久性、遮熱性に優れ、また、屋根の下地との間に空気層が作られるので、湿気がこもり難い、結露し難い、外気熱が伝わり難いなどの利点がある。
【０００３】
屋根の下地構造は、木造住宅の場合、一般に、梁（はり）の上に束（つか）を立てて母屋（もや）を水平に渡し、棟木から鼻母屋又は軒桁にかけて、屋根の流れ方向に角材の垂木（たるぎ）を一定間隔にかけ渡し、垂木の上に野地板を釘打ちして、水平に張り上げ、これにより屋根の下地を構成する。野地板の上には、防水紙（ルーフィング）を全面に下葺きし、防水紙の上に垂木の位置に合わせて角材の引っ掛け桟を水平に渡して釘打ちし、瓦を引っ掛け桟に掛けて葺き重ねるようにしている。
【０００４】
しかしながら、瓦の隙間から屋根下地の間に流れ込んだ雨水が、防水紙の上を流れようとすると引っ掛け桟に堰き止められ、雨漏りの原因となる恐れがあることから、瓦桟木（引っ掛け桟）に複数の溝を等間隔で設け、溝を通して雨水を流れやすくした提案が知られている（特許文献１）。
【０００５】
また、雨水を軒先方向に流れやすくするため、防水紙とその上の引っ掛け桟との間に垂木の位置に合わせて木ずりと呼ばれる狭幅の薄板材を設置し、防水紙と引っ掛け桟との間に隙間を形成して、雨水を引っ掛け桟の下から軒先方向に流すようにした構造が知られている。
【０００６】
この下地構造は、大工と瓦職人の両者によって構成されるが、雨漏りに関して両者が何ら話し合うことなく、それぞれの職種に応じた作業を各自のやり方で工事していくところに根本的な問題がある。つまり、雨漏りに関して、どこに問題があるか、どう解決していくかの根幹部分が未解決のまま、施工されているのが現状である。
【先行技術文献】
【特許文献】
【０００７】
【特許文献１】特開２０００−８７５１３号公報
【考案の概要】
【考案が解決しようとする課題】
【０００８】
特許文献１の提案は、瓦桟木の一部に溝を設けるものであるが、大雨時には瓦桟木によって堰き止められる雨水の量が多くなり、雨水が屋根下地に溢れる心配がある。木ずりを用いて引っ掛け桟と防水紙との間に隙間を設ける構造は、防水紙上を雨水がスムーズに流れやすくなるという利点があるが、以下のように雨漏りを十分に防止できないという課題がある。
【０００９】
第１に、防水紙を野地板に貼るとき、ハンマーカッターという道具でステープルという金物を打ち込んで貼っていくが、乱暴な貼り方をすると防水紙に傷がつき易く、ここから雨水が漏れることがある。第２に、木ずりを防水紙の上から垂木上に釘打ちして止めておき、その上から引っ掛け桟を釘打ちしていくが、その時に防水紙に釘穴が開き、ここから雨水が漏れることが多い。
【００１０】
第３に、引っ掛け桟は、防水紙との間に木ずりを挿入したことで隙間ができたところに、重い瓦を引っ掛け桟に乗せた状態になっている。このため、長年月の間に引っ掛け桟が圧迫されて曲がり、その部分が防水紙と接触した状態になってくる。このような状態のとき、台風などの強い風が吹くと、その影響で瓦が上下に揺すられ、このとき木ずりも上下に動き、この上下の動きによって防水紙が叩かれ、防水紙に木ずりの角が当たり傷がつくことがある。ここからも雨水が漏れることがある。
【００１１】
第４に、瓦の種類によっては、瓦がずり落ちないように引っ掛け桟に釘打ちすることがあるが、この釘が引っ掛け桟を突き抜けて飛び出し、これが防水紙を傷つけることがある。
【００１２】
本考案は上記課題に鑑みてなされたもので、瓦屋根の下地構造において、防水紙に傷を付けないことに加え、釘打ちにより防水紙上にできた釘穴に雨水が流れ込まないようにして、瓦屋根からの雨漏りを防止できるようにした、瓦屋根の下地構造、さらには耐風雨性に優れた下地構造を提供することを目的とする。
【課題を解決するための手段】
【００１３】
上記課題を解決するために、本考案に係る瓦屋根の下地構造は、
瓦屋根の下地を構成する複数の垂木の上に複数の野地板が全面に貼られると共に、これら野地板の上に防水紙が全面に貼られており、
防水紙の上に屋根の流れ方向を向く複数の幅狭の薄板材が、各垂木の上に位置して、幅狭の両面接着防水テープを介して一定間隔で取付けられ、
これら一定間隔の複数の薄板材の上に、厚さ２５〜４０ｍｍ、幅２５〜４０ｍｍの角材から構成され、瓦を掛ける引っ掛け桟が釘打ちにより取付けられていることを主要な特徴とする。なお、引っ掛け桟は、厚さ３０〜３６ｍｍ、幅３０〜３６ｍｍの角材から構成されることが望ましい。
【００１４】
本考案に係る瓦屋根の下地構造は、
薄板材の下面に予め、略同一幅の両面接着防水テープが全面に貼り付けられていることを第２の特徴とする。
【００１５】
本考案に係る瓦屋根の下地構造は、
複数の幅狭の薄板材が、各垂木の上に位置して、幅狭の両面接着防水テープを介して防水紙の上に釘打ちにより一定間隔で取付けられていることを第３の特徴とする。
【００１６】
本考案に係る瓦屋根の下地構造は、
下側の防水紙を野地板に止めるステープルの上に上側の防水紙が覆い被さった状態で貼られていることを第４の特徴とする。
【００１７】
本考案に係る瓦屋根の下地構造は、
各垂木の上に取付けられた複数の幅狭の薄板材の中間位置であって、垂木の上から外れた位置に幅狭の薄板材が両面接着防水テープを介して防水紙の上に取付けられており、これらの薄板材の上に前記引っ掛け桟が釘打ちにより取付けられていることを第５の特徴とする。
【考案の効果】
【００１８】
以上説明したように、本考案に係る瓦屋根の下地構造によると、防水紙の上に両面接着防水テープを介して幅狭の薄板材を一定の間隔で取付け、その上に、従来の引っ掛け桟より断面積の大きな引っ掛け桟を取付けるようにしたから、瓦を止める釘が引っ掛け桟より下にはみ出る確率が低くなることで、釘によって防水紙に傷をつけることがなくなることに加え、従来の引っ掛け桟が原因で起きていた防水紙への引っ掛け桟の接触もなくなり、屋根下地からの雨漏りを防止できるという効果を奏する。
【００１９】
また、上記の構造により、耐風雨性に優れ、台風などかなり強い風雨に対しても雨漏り防止効果の高い瓦屋根の下地構造を実現できるという効果を奏する。
【図面の簡単な説明】
【００２０】
【図１】本考案に係る瓦屋根の下地構造を示す斜視図、
【図２】本考案に係る瓦屋根の下地構造を備える屋根の構造図、
【図３】垂木の上に野地板が取り付けられた状態を示す斜視図、
【図４】野地板の上に防水紙が取り付けられた状態を示す斜視図、
【図５】防水紙の上に両面接着防水テープを介して木ずりが取り付けられた状態を示す斜視図、
【図６】（Ａ）は木ずりの平面図、（Ｂ）は木ずりの下面に両面接着防水テープを貼り付ける様子を示す側面図、（Ｃ）は木ずりの下面に両面接着防水テープが貼り付けられた状態を示す正面図、
【図７】本考案に係る瓦屋根の下地構造の作用を示す説明図、
【図８】本考案に係る他の実施形態の瓦屋根の下地構造を示す斜視図である。
【考案を実施するための最良の形態】
【００２１】
本考案を実施するための実施形態について図面を参照して説明する。図１ないし図７は本考案に係る瓦屋根の下地構造の一実施形態を示すもので、これらの図において、符号１０は瓦屋根を示している。
【００２２】
瓦屋根１０は、図２に示すように、梁１１の上に、母屋（もや）１２が直接、または束（つか）１３が立てられてその上に母屋１２および棟木１４が水平に架け渡され、棟木１４から軒側の母屋１２にかけて一定間隔で複数の垂木（たるき）１５が屋根の流れ方向（傾斜方向）に架け渡されている。母屋１２や垂木１５は角材が用いられ、軒に最も近い母屋１２は鼻母屋と称される。
【００２３】
垂木１５の上には、図２および図３に示すように、屋根の全面に複数の野地板１６が釘打ちにより隙間なく取付けられている。野地板１６の上には、図２および図４に示すように、防水紙（ルーフィング）１７が屋根の全面に貼られている。防水紙１７は、図４に示すように、下側の防水紙１７を野地板１６に止めるステープルの上に上側の防水紙１７が覆い被さった状態となるように部分的に重ねられて貼られている。
【００２４】
防水紙１７は、アスファルトを基材（紙や不織布など）に染み込ませて防水性を高めたアスファルトルーフィングやアスファルトにゴムやプラスチックを混ぜて耐久性を高めた改質アスファルトルーフィングなどが用いられる。
【００２５】
防水紙１７の上には、図２および図５に示すように、屋根の流れ方向を向く複数の幅狭の木ずり１８が、それぞれの垂木１５の上に位置して、幅狭の両面接着防水テープ１９を介して一定間隔で取付けられている。木ずり１８は、厚さ１２ｍから１５ｍｍ、幅６ｃｍのサイズの薄板材で、防水紙１７と後述する引っ掛け桟２０との間に雨水が流下する隙間Ｓを作るために設置される。
【００２６】
両面接着防水テープ１９は、狭幅で一定厚さの接着性、粘着性および防水性のテープからなり、予め木ずり１８の下面に強固に接着されている。両面接着防水テープ１９は、不織布などの基材の両側にゴム系、アクリル系、シリコン系などの接着剤、粘着剤が一定厚さに設けられている。
【００２７】
各木ずり１８の上には、図１および図２に示すように、水平方向を向く複数の引っ掛け桟２０が一定間隔で釘打ちにより取付けられている。各引っ掛け桟２０は通常より大きい断面積の角材が用いられ、図２に示すように、瓦２１の上部に設けられた引っ掛け部２１Ａを掛けるようになっている。瓦２１は、耐久性に優れ、遮熱性、耐火性、防水性、防音性のある粘土瓦、陶器瓦のほか、セメント瓦、コンクリート瓦などが用いられる。
【００２８】
次に、上記のように構成された瓦屋根の下地構造についての施工手順を、作用とともに、以下に説明する。
【００２９】
まず、図２を参照して、既設の柱１および軒桁２の上に梁１１を架け渡す。次に、梁１１の上に軒側の鼻母屋１２を水平に架け渡し、また、束１３を立ててその上に中間の母屋１２および中央の棟木１４を水平に架け渡す。次に、中央の棟木１４から軒側の鼻母屋１２にかけて一定間隔で複数の垂木１５を屋根の流れ方向（屋根の傾斜方向）に架け渡す。垂木１５は、瓦屋根の場合、一般に幅４．５ｃｍ×高さ６．０ｃｍのサイズの角材を用い、間隔は４５５ｍｍとする。
【００３０】
次に、垂木１５の上に、図３に示すように、屋根の全面に複数の野地板１６を釘打ちする。野地板１６は、厚さ１２ｍｍから１５ｍｍのものを用いる。次に、野地板１６の上に、図４に示すように、防水紙１７を屋根の全面にステープルで貼り付ける。防水紙１７は、下側の防水紙１７を止めるステープルの上に上側の防水紙１７が覆い被さるように部分的に重ねる。これにより、防水紙上を流れる雨水が、ステープルを打ち込んだ部分から屋根裏に漏れるのを防止する。
【００３１】
次に、防水紙１７の上に、図５に示すように、それぞれの垂木１５の位置に合わせて、幅狭の木ずり１８を、屋根の流れ方向を向くように、一定間隔で釘打ちする。木ずり１８の下面には両面接着防水テープ１９を予め貼り付けておく。両面接着防水テープ１９は貼り付ける際に接着面の剥離紙を剥がして用いる。木ずり１８は、厚さ７ｍｍから９ｍｍ、幅４．５ｃｍのサイズの板材を用いる。両面接着防水テープ１９は、木ずり１８と略同じ幅および長さのものを用いる。
【００３２】
防水紙１７の上に一定間隔で木ずり１８および両面接着防水テープ１９を釘打ちすると、防水紙１７上を雨水が流下する案内ガイドが形成される。瓦の下に入り込んだ雨水は案内ガイドの両面接着防水テープ１９のところで止まり、木ずり１８の下まで流れ込むことや染み込むことがなくなり、木ずり１８の釘打ちでできた釘穴部分から雨水が漏れることがなくなる。
【００３３】
次に、木ずり１８の上に、図１に示すように、複数の引っ掛け桟２０を水平方向に架け渡し、木ずり１８の上に一定間隔で釘打ちする。引っ掛け桟２０は通常のサイズ（厚さ１５ｍｍ、幅１８〜３０ｍｍ程度）よりも大きい断面積（厚さ３０〜３６ｍｍ、幅３０〜３６ｍｍ）の角材を用いる。引っ掛け桟２０に通常より大きいサイズを用いることで、瓦の重みで曲がることや撓むことがなく、瓦が容易に動かない。また、台風などかなり強い風が吹いても、瓦がさほど動かなくなり、従来のように引っ掛け桟２０が防水紙１７を叩かなくなり、防水紙１７に傷が付くこともなくなる。
【００３４】
最後に、各引っ掛け桟２０に対し、瓦２１を順次引っ掛けて釘打ちし、取付けていく。
【００３５】
本実施形態の瓦屋根の下地構造によると、以下の作用効果を奏する。
【００３６】
下面に両面接着防水テープ部材１９を貼り付けた木ずり１８を、防水紙１７の上に釘打ちして止めるから、瓦２１の下に入り込んだ雨水は、案内ガイドの両面接着防水テープ１９のところで止まり、木ずり１８の下へは流れ込まず、防水紙１７上を外部へと排出される。木ずり１８の下へは雨水が流れ込まず、染みこみもしないので、木ずり１８を止めるために釘打ちしてできた釘穴からも雨漏りすることがない。
【００３７】
引っ掛け桟２０に通常よりも大きい断面積の角材を用いたので、瓦２１の重みで引っ掛け桟２０が曲がることや撓むことがない。これにより、瓦２１が容易に動かず、また、かなり強い風が吹いても瓦２１がさほど動かない。さらに、引っ掛け桟２０が防水紙１７を叩くことや、防水紙１７に傷が付くことがなく、防水紙１７が傷付いて雨漏りすることがない。これらにより、耐風性および耐水性に優れた下地構造が得られる。
【００３８】
瓦２１に重い瓦（例えば、厚型のセメント系瓦）を使うことで、引っ掛け桟２０が曲がるおそれがある場合、図８に示すように、隣接する木ずり１８と木ずり１８の中間位置で、垂木１５の上から外れた位置に補強用の木ずり１８’を両面接着防水テープ１９’により配置してよい。補強用の木ずり１８’は、一定間隔で配置してよい。垂木１５上の木ずり１８と木ずり１８の中間に補強用の木ずり１８’を配置し、引っ掛け桟２０を木ずり１８’にも釘打ちすることで、瓦２１に重い瓦（例えば、厚型のセメント系瓦）を使う場合であっても、引っ掛け桟２０の曲がりや撓みを防止することができ、これによっても、防水紙１７が傷付いて雨漏りすることがなく、耐風性および耐水性に優れた下地構造が得られる。
【００３９】
下の防水紙１７を野地板１６に止めるステープルを、上の防水紙１７が覆い被さるから、防水紙１７上を流れる雨水が、ステープルを打ち込んだ部分から天井裏に漏れるのを防止する。
【００４０】
木ずり１８，１８’は下面に両面接着防水テープ１９，１９’を貼り付けて、屋根全面に取付ける必要数を予め準備しておけばよく、比較的安価な費用でかつ作業効率よく施工できる。
【００４１】
かくして、本考案の瓦屋根の下地構造によれば、耐風性および耐水性、すなわち耐風雨性に優れた瓦屋根の下地構造を、安価な費用で提供することができるようになった。
【産業上の利用可能性】
【００４２】
本考案に係る瓦屋根の下地構造は、雨漏りを防止でき、また、耐風雨性に優れた瓦屋根の下地構造として、幅広く利用できる。
【符号の説明】
【００４３】
１  柱
２  軒桁
１０  屋根
１１  梁
１２  母屋，鼻母屋
１３  束
１４  棟木
１５  垂木
１６  野地板
１７  防水紙
１８，１８’  木ずり（薄板材）
１９，１９’  両面接着防水テープ
２０  引っ掛け桟
２１  瓦
２１Ａ  引っ掛け部
Ｋ  釘
Ｓ  隙間
【図１】
0003233209.tif 000003
【図２】
0003233209.tif 000004
【図３】
0003233209.tif 000005
【図４】
0003233209.tif 000006
【図５】
0003233209.tif 000007
【図６】
0003233209.tif 000008
【図７】
0003233209.tif 000009
【図８】
0003233209.tif 000010